(57)【特許請求の範囲】
【請求項１】
長尺な相手部材が貫通した状態で、前記相手部材の長手方向に沿って移動可能なスライドロック装置であって、
前記相手部材が貫通する貫通孔が設けられ、前記貫通孔の側面に収納部が設けられ、前記収納部に前記相手部材と交差する角度のテーパ面が設けられ、前記相手部材の長手方向にスライド可能なベースと、
前記収納部に収納され、前記相手部材を挟み込んで、前記ベースに対してスライド可能に設けられるスライダと、
前記テーパ面と前記相手部材との間に位置するように前記スライダに保持され、前記相手部材との間で摩擦力を発生させることによって前記ベースと前記スライダを前記相手部材にロックするストッパと、
前記テーパ面と前記相手部材との間の隙間が漸減する方向へスライドするように前記スライダを付勢する弾性部材と、
前記ベースの外側に取り付けられ、前記弾性部材の付勢方向と同じ方向に操作すると、前記ベースに当接して前記ベースを前記弾性部材の付勢方向と同じ方向にスライドさせ、前記弾性部材の付勢方向と反対の方向に操作すると、前記スライダに係合して前記スライダを前記弾性部材の付勢方向と反対の方向にスライドさせ、さらに、前記ベースに当接して前記ベースを前記弾性部材の付勢方向と反対の方向にスライドさせる操作部材と、を備えることを特徴とするスライドロック装置。
【請求項２】
長尺な相手部材が貫通した状態で、前記相手部材の長手方向に沿って移動可能なスライドロック装置であって、
前記相手部材が貫通する貫通孔が設けられ、前記貫通孔の側面に収納部が設けられ、前記収納部に前記相手部材と交差する角度のテーパ面が設けられ、前記相手部材の長手方向にスライド可能なベースと、前記収納部に収納され、前記相手部材を挟み込んで、前記ベースに対してスライド可能に設けられたスライダと、前記テーパ面と前記相手部材との間に位置するように前記スライダに保持され、前記相手部材との間で摩擦力を発生させることによって前記ベースと前記スライダを前記相手部材にロックするストッパと、前記テーパ面と前記相手部材との間の隙間が漸減する方向へスライドするようにスライダを付勢する弾性部材と、で構成され、少なくとも２つが正逆反転状態に設けられるロックユニットと、
前記２つのロックユニットが連結され、前記２つのべースにかけて配置され、一方のロックユニットの前記弾性部材の付勢方向と同じ方向に操作すると、他方のロックユニットの前記スライダに係合して他方のロックユニットの前記スライダを他方のロックユニットの前記弾性部材の付勢方向と反対の方向にスライドさせ、さらに、一方のロックユニットの前記ベースに当接して一方のロックユニットの前記ベースを一方のロックユニットの前記弾性部材の付勢方向と同じ方向にスライドさせ、一方のロックユニットの前記弾性部材の付勢方向と反対の方向に操作すると、一方のロックユニットの前記スライダに係合して一方のロックユニットの前記スライダを一方のロックユニットの前記弾性部材の付勢方向と反対の方向にスライドさせ、さらに、他方のロックユニトの前記ベースに当接して他方のロックユニトの前記ベースを他方のロックユニットの前記弾性部材の付勢方向と同じ方向にスライドさせる操作部材と、を備えることを特徴とするスライドロック装置。
【請求項３】
前記ストッパに接触するストッパ受板が前記テーパ面に沿って設けられていることを特徴とする請求項１又は２に記載のスライドロック装置。
【請求項４】
前記相手部材と弾性的に接触して摩擦力を発生する摩擦摺動部材が前記ベースに設けられていることを特徴とする請求項１又は２に記載のスライドロック装置。
【発明の詳細な説明】
【０００１】
【発明の属する技術分野】
本発明は、シャワーヘッド保持台、電灯スタンドの電灯保持ヘッド等の高さ調整を行うスライドロック装置に関する。
【０００２】
【従来の技術】
シャワーヘッドは縦長のスタンドに取付けられており、使用者の身長の大小や使用者の好みに応じてその高さ調整が可能となっている。図１１はこのような高さ調整を行う従来のスライドロック装置１００を示す。
【０００３】
このスライドロック装置１００は、その全体がスタンドやガイドパイプなどの長尺な相手部材１１０に長さ方向へのスライド可能に取付けられるものであり、ベース１２０と摩擦板１３０とを備えている。ベース１２０は相手部材１１０が貫通する貫通孔１２１を上下方向に有していると共に、内部には窪み状の収納部１２２が形成されている。
【０００４】
摩擦板１３０はベース１２０の収納部１２２内に配置される。この摩擦板１３０は相手部材１１０の外面に当接することによって摩擦力を発生するものであり、摩擦板１３０を付勢するばね１４０が収納部１２２に配置されている。ばね１４０は相手部材１１０の長さ方向と直交する方向に摩擦板１３０を付勢している。摩擦板１３０は相手部材１１０を挟むように少なくとも一対が設けられ、相手部材１１０を挟持した摩擦力によってスライドロック装置１００の全体が相手部材１１０の定位置に固定される。一方、相手部材１１０に対する高さ調整は、摩擦板１３０の摩擦力よりも大きな操作力をベース１２０に作用させてスライドさせることにより行われる。
【０００５】
【発明が解決しようとする課題】
上述した従来のスライドロック装置では、相手部材１１０への固定を行うロック力や相手部材１１０に対するスライドの操作性が摩擦力に大きく依存した構造となっている。すなわち、摩擦力を大きくしてロック力を増大させた場合には、スライドの操作性が悪くなり、摩擦力を小さくした場合には、スライドの操作性が良好となる反面、充分なロック力を得ることができず、自重によってスライドロック装置１００が落下する不具合が発生している。
【０００６】
また、シャワー施設等の使用環境においては、水が付着し、付着した水によって摩擦力が変動する。このため、常に一定した摩擦力を保持することができず、不安定な性能となっている。
【０００７】
本発明はこのような問題点を考慮してなされたものであり、スライドのロックを確実に行うことができると共に、スライド操作を円滑に行うことができ、さらには安定した性能を保持することができるスライドロック装置を提供することを目的とする。
【０００８】
【課題を解決するための手段】
上記目的を達成するため、本発明による請求項１に記載のスライドロック装置は、長尺な相手部材が貫通した状態で、前記相手部材の長手方向に沿って移動可能なスライドロック装置であって、
前記相手部材が貫通する貫通孔が設けられ、前記貫通孔の側面に収納部が設けられ、前記収納部に前記相手部材と交差する角度のテーパ面が設けられ、前記相手部材の長手方向にスライド可能なベースと、前記収納部に収納され、前記相手部材を挟み込んで、前記ベースに対してスライド可能に設けられるスライダと、前記テーパ面と前記相手部材との間に位置するように前記スライダに保持され、前記相手部材との間で摩擦力を発生させることによって前記ベースと前記スライダを前記相手部材にロックするストッパと、前記テーパ面と前記相手部材との間の隙間が漸減する方向へスライドするように前記スライダを付勢する弾性部材と、前記ベースの外側に取り付けられ、前記弾性部材の付勢方向と同じ方向に操作すると、前記ベースに当接して前記ベースを前記弾性部材の付勢方向と同じ方向にスライドさせ、前記弾性部材の付勢方向と反対の方向に操作すると、前記スライダに係合して前記スライダを前記弾性部材の付勢方向と反対の方向にスライドさせ、さらに、前記ベースに当接して前記ベースを前記弾性部材の付勢方向と反対の方向にスライドさせる操作部材と、を備えることを特徴とする。
【００１１】
この発明では、スライダに取付けられたストッパが弾性部材の付勢力によってベースのテーパ面及び相手部材に挟まれ、相手部材との間で摩擦力を発生させる。この摩擦力によって相手部材へのロックが行われ、相手部材が定位置へ固定された状態となる。この固定状態ではテーパ面と相手部材との隙間が漸減する方向に弾性部材がスライダを付勢しており、従って、スライダに取り付けられたストッパはテーパ面によって相手部材に強固に当接した状態となる。このため、大きな摩擦力が発生し、スライドのロックを確実に行うことができる。
【００１２】
また、この構造では、弾性部材の付勢力をテーパ面によるストッパへの押し付け力に変換しているため、一定の摩擦力を発生することができる。このため、水等が付着しても摩擦力が変動することがなく、安定したロックを行うことができる。
【００１３】
一方、操作部材を操作してスライダをスライドさせることにより、テーパ面と相手部材との隙間が広がる方向へストッパを動かすこととなり、ストッパの相手部材への当接が解除され、ロック解除状態となる。このため、相手部材に対して円滑にスライドさせることができる。
【００１４】
本発明による請求項２に記載のスライドロック装置は、長尺な相手部材が貫通した状態で、前記相手部材の長手方向に沿って移動可能なスライドロック装置であって、前記相手部材が貫通する貫通孔が設けられ、前記貫通孔の側面に収納部が設けられ、前記収納部に前記相手部材と交差する角度のテーパ面が設けられ、前記相手部材の長手方向にスライド可能なベースと、前記収納部に収納され、前記相手部材を挟み込んで、前記ベースに対してスライド可能に設けられたスライダと、前記テーパ面と前記相手部材との間に位置するように前記スライダに保持され、前記相手部材との間で摩擦力を発生させることによって前記ベースと前記スライダを前記相手部材にロックするストッパと、前記テーパ面と前記相手部材との間の隙間が漸減する方向へスライドするようにスライダを付勢する弾性部材と、で構成され、少なくとも２つが正逆反転状態に設けられるロックユニットと、前記２つのロックユニットが連結され、前記２つのべースにかけて配置され、一方のロックユニットの前記弾性部材の付勢方向と同じ方向に操作すると、他方のロックユニットの前記スライダに係合して他方のロックユニットの前記スライダを他方のロックユニットの前記弾性部材の付勢方向と反対の方向にスライドさせ、さらに、一方のロックユニットの前記ベースに当接して一方のロックユニットの前記ベースを一方のロックユニットの前記弾性部材の付勢方向と同じ方向にスライドさせ、一方のロックユニットの前記弾性部材の付勢方向と反対の方向に操作すると、一方のロックユニットの前記スライダに係合して一方のロックユニットの前記スライダを一方のロックユニットの前記弾性部材の付勢方向と反対の方向にスライドさせ、さらに、他方のロックユニトの前記ベースに当接して他方のロックユニトの前記ベースを他方のロックユニットの前記弾性部材の付勢方向と同じ方向にスライドさせる操作部材と、を備えることを特徴とする。
【００１５】
この発明のロックユニットは、請求項１の発明のベース、スライダ、ストッパ、弾性部材を有しており、このロックユニットの少なくとも２つが正逆反転状態で連結されているため、スライドのロックを正逆の２方向に対して安定して行うことができる。
【００１６】
また、この発明では、操作部材を操作して一方のロックユニットのスライダを弾性部材に抗してスライドさせると、他方のロックユニットのベースが同じ方向にスライドする。そして、一方のロックユニットにおけるスライダのスライドによって、そのロックユニットのテーパ面と相手部材との隙間が広がり、テーパ面がストッパを押すことがなくなる。また、他方のロックユニットにおけるベースのスライドでは、ベースのテーパ面がストッパから離れ、ストッパを押すことがなくなる。以上によって、双方のロックユニットにおけるストッパは、いずれも相手部材から離れることができ、相手部材との摩擦力が極度に小さくなる。従って、スライドロック装置の全体を円滑にスライドさせることができる。
【００１７】
請求項３の発明は、請求項１又は２に記載の発明であって、前記ストッパに接触するストッパ受板が前記テーパ面に沿って設けられていることを特徴とする。
【００１８】
このように、ストッパ受板を設けることにより、強度が付与されるためストッパを確実に相手部材に当接させることができる。
【００１９】
請求項４の発明は、請求項１又は２に記載の発明であって、前記相手部材と弾性的に接触して摩擦力を発生する摩擦摺動部材が前記ベースに設けられていることを特徴とする。
【００２０】
相手部材が上下方向に伸びている場合において、操作部材の操作でロックを解除したとき、スライドロック装置が自重によって急激に下方向にスライドすると共に、このスライドによってテーパ面がストッパを相手部材に押し付けてロックを行うため、スライドとロックとが繰り返されるガタついたぎこちない作動となることがある。摩擦摺動部材は相手部材に弾性的に接触して、自重による急激なスライドを抑制する。このため、円滑なスライドを行うことができ、操作性が向上する。
【００２１】
【発明の実施の形態】
以下、本発明を図示する実施の形態により具体的に説明する。なお、各実施の形態において、同一の要素は同一の符号を付して対応させてある。
【００２２】
（実施の形態１）
図１〜図５は本発明の実施の形態１を示す。この実施の形態のスライドロック装置１はベース２と、スライダ３と、ストッパ４と、弾性部材としてのばね５と、操作部材６とを備えている。
【００２３】
ベース２は、長尺な相手部材７が貫通した状態で、相手部材７の長手方向にスライドする。このため、ベース２には相手部材７の貫通孔２ａが軸方向に形成されている。図２はベース２を示し、貫通孔２ａの両側には、スライダ３を収納する収納部２ｂが形成されていると共に、収納部２ｂの上部には、テーパ面８が形成されている。この実施の形態では、相手部材７は矩形断面の長尺材が使用されており、テーパ面８は相手部材７を挟む位置となるように対向して形成されている。
【００２４】
テーパ面８は、貫通孔２ａを貫通する相手部材７と交差する角度を有して傾斜するものである。この実施の形態では、相手部材７に対し、下方向へのロックを行うものであり、このためテーパ面８は下端部が相手部材７から離れる一方、上端部が相手部材７に接近するように傾斜している。
【００２５】
テーパ面８の上下端部には、取付溝部２ｃが形成されており、この取付溝部２ｃにストッパ受板９が固定されている。ストッパ受板９は上下端部が取付溝部２ｃに嵌合することにより、テーパ面８に沿うようにベース２の内部に固定されるものである。ストッパ受板９の材質としては、ステンレス等の硬質の材料を使用することができ、これによりテーパ面８の摩耗を防止することができる。テーパ面８に固定されたストッパ受板９は、相手部材７との間に隙間を有しており、これによりテーパ面８と相手部材７との間に隙間が設けられている。
【００２６】
スライダ３は一対がベース２の収納部２ｂに収納されることにより、相手部材７を挟んだ状態で配置されている。スライダ３はベース２に対して相対的にスライドするようにベース２に取付けられる。各スライダ３は図３に示すように、先端（上端）の薄肉状の第１の保持部３ａと、中間の連設部３ｂと、基端（下端）の厚肉状の第２の保持部３ｃとが連設されることにより形成されている。連設部３ｂと第２の保持部３ｃとの境界部分は外側に段状に突出する係合段部３ｄとなっており、この係合段部３ｄに後述する操作部材６が係合する。
【００２７】
スライダ３の第１の保持部３ａはストッパ４を保持するものであり、このための半球状の保持孔１０が形成されている。この保持孔１０はストッパ受板９側が大径で開口し、相手部材７側が小径で開口した半球状に形成されている。
【００２８】
ストッパ４は球体からなり、上記保持孔１０に落し込まれることにより、保持孔１０に保持される。保持孔１０が半球状となっていることから、球体状のストッパ４は保持孔１０からストッパ受け板９側に突出した状態で保持される。そして、突出した部分がストッパ受板９に当接する。また、ストッパ４は保持孔１０の相手部材７側の小径の開口部分から突出し、この突出部分が相手部材７に当接する。
【００２９】
スライダ３の第２の保持部３ｃには、ばね孔１１が軸方向に形成されており、このばね孔１１に上述したばね５が挿入される。ばね５はコイルばねからなり、ばね孔１１に挿入された状態で、一端がスライダ３に接触し、他端がベース２に接触する。これにより、ばね５はスライダ３を上方に付勢している。すなわち、ばね５はストッパ受板９（テーパ面８）と相手部材７との間の隙間を漸減する方向にスライダ３を介してストッパ４を付勢するものである。
【００３０】
操作部材６はベース２の長手方向における略中間部分でかつベース２の外側に位置するようにベース２に取付けられている。操作部材６の内側部分には、スライダ３の係合段部３ｄと係合する係合面６ａが形成されている。係合面６ａは係合段部３ｄに対し上方から臨んでおり、係合段部３ｄを押すことにより係合段部３ｄを介してスライダ３を下方にスライドさせるように作用する。このスライド方向はばね５がスライダを付勢する方向と反対の方向となっており、これによりスライダ３はばね力に抗してばね５を縮める方向にスライドする。
【００３１】
図４及び図５は、この実施の形態の作用を示している。相手部材７への装着状態において、ばね５は相手部材７とストッパ受板９との隙間が小さくなる方向にスライダ３を付勢しており、これによりスライダ３に取付けられているストッパ４はストッパ受板９に当接し、当接した反力によってストッパ４は相手部材７に当接して摩擦力を発生している。従って、スライドロック装置１はスライドすることなく、相手部材７に固定される。
【００３２】
一方、操作部材６以外のスライドロック装置１における部品に対して、図４（ａ）の矢印Ａで示す下方向の力を作用させた場合、ストッパ受板９がストッパ４を保持孔１０に押し込む。このため、ストッパ４は相手部材７に強固に当接して、摩擦力が増大する。これにより、スライドロック装置１は矢印Ａ方向にスライドすることなくロックされる。
【００３３】
これに対し、図４（ｂ）の矢印Ｂで示す上方向の力が作用した場合、この方向はストッパ受板９がストッパ４から離れる方向であるため、ストッパ４を保持孔１０に押し込む力が小さくなり、ストッパ４は相手部材７との当接力が小さくなり、摩擦力が極度に減少する。このため、スライドロック装置１は矢印Ｂ方向にスライドすることができる。従って、矢印Ｂ方向へのスライドを円滑に行うことができる。
【００３４】
次に、操作部材６に対して図５の矢印Ｃ方向で示す下方向の力を作用させると、係合面６ａが係合段部３ｄを同方向に押すため、スライダ３がばね５の付勢力に抗して下方向にスライドする。ストッパ４はこのスライドと共に一体的に下方向に移動し、ストッパ受板９との当接から解除される。これにより、ストッパ４は相手部材７を押すことがなくなり、摩擦力が極度に低下するため、スライドロック装置１の全体を矢印Ｃ方向に円滑にスライドすることができる。
【００３５】
（実施の形態２）
図６は本発明の実施の形態２を示す。この実施の形態では、操作部材６の下端部に外側に突出する摘み片１２が形成されると共に、ベース２における摘み片１２との対向部分に外側に突出する摘み片１３が形成されている。これらの摘み片１２，１３を指で把持することにより、操作部材６を矢印Ｃ方向に確実にスライドさせることができる。このため、操作部材６への操作を円滑に行うことができ、スライドロック装置１のスライドも円滑に行うことができる。
【００３６】
（実施の形態３）
図７は本発明の実施の形態３を示し、ベース２に摩擦摺動部材１４が設けられている。摩擦摺動部材１４は、ストッパ受板９の上方に形成された切り欠き溝１５に収納されている。切り欠き溝１５は、ベース２のテーパ面８と同じ方向に傾斜する傾斜面１５ａを上端部分に有しており、摩擦摺動部材１４はこの傾斜面１５ａの押圧によって相手部材７と接触することができる。摩擦摺動部材１４はゴム、弾性樹脂などの弾性材料によって球状体に形成されており、傾斜面１５ａの押圧によって相手部材７と弾性的に接触してスライドを制動するように作用する。
【００３７】
この実施の形態において、スライドロック装置１を下方向にスライドする際に、傾斜面１５ａが摩擦摺動部材１４を相手部材７方向に押しつけるため、摩擦摺動部材１４と相手部材７との間に小さな摩擦力が発生している。従って、操作部材６によるロック解除を行っても、直ちにスライドロック装置１の全体がスライドすることがなくなり、安全となる。また、摩擦摺動部材１４が弾性的に接触するため、スライド時の耳障りな異音を吸収し、円滑なスライドを行うことができる。
【００３８】
この実施の形態においては、相手部材７が上下方向に伸びている場合に、摩擦摺動部材１４が特に有効に作用する。すなわち、相手部材７が上下方向に伸びている場合において、操作部材６の操作でロックを解除したとき、スライドロック装置１が自重によって急激に下方向にスライドすると共に、このスライドによってストッパ受板９がストッパ４を相手部材７に押し付けてロックを行うため、スライドとロックとが繰り返されるガタついたぎこちない作動となることがある。このとき摩擦摺動部材１４は相手部材７に弾性的に接触して、自重による急激なスライドを抑制する。このため、円滑なスライドを行うことができ、操作性が向上する。なお、摩擦摺動部材１４は、球状体に限定されるものではなく、例えばピン形状のローラ等の相手部材７と接触し摺動回転することにより摩擦力を発生させる形状であればよい。
【００３９】
（実施の形態４）
図８〜図１０は本発明の実施の形態４を示す。この実施の形態のスライドロック装置３１は、図８に示すように、２つのロックユニット３２，３３及び操作部材３４を備えている。
【００４０】
２つのロックユニット３２，３３は、実施の形態１と同様にテーパ面８が形成されたベース２と、ベース２にスライド可能に設けられたスライダ３と、スライダ３に保持された球体状のストッパ４と、スライダ３をスライド付勢する弾性部材としてのばね５とをそれぞれ備えている。また、テーパ面８にはストッパ受板９が取り付けられている。
【００４１】
この２つのロックユニット３２，３３は、正逆反転状態となるように操作部材３４によって連結されるものである。この実施の形態において、ばね５は２つのロックユニット３２，３３のスライダ３，３にかけて伸びており、ストッパ受板９と相手部材７との隙間が漸減する方向へスライドするようにそれぞれのスライダ３，３を付勢している。これに限らず、上述した隙間漸減方向に付勢するばねをそれぞれのロックユニット３２，３３に配置しても良い。
【００４２】
操作部材３４は２つのロックユニット３２，３３のベース２，２にかけて配置されており、これにより、２つのロックユニット３２，３３を連結している。この操作部材３４には、各ロックユニット３２，３３におけるスライダ３の係合段部３ｄと対向する係合面３４ａが上下位置に形成されている。また、２つのロックユニット３２，３３のベース２，２との対向面には、それぞれのベース２，２に当接可能な当接面３４ｂ、３４ｂが上下位置に形成されている。
【００４３】
このような実施の形態のスライドロック装置３１では、２つのロックユニット３２，３３を正逆反転状態で連結しており、ロックユニット３２，３３によって正逆２方向のロックを行うことができる。すなわち、上方向に対しては、下側のロックユニット３３のストッパ４が相手部材７に当接して摩擦力を発生するため、ロックを行うことができ、下方向に対しては、上側のロックユニット３２のストッパ４が相手部材７に当接して摩擦力を発生するため、ロックを行うことができるものである。このため、相手部材７の長手方向における正逆両方向へのロックを確実に行うことができる。
【００４４】
図９は操作部材３４を矢印Ｄで示す上方向に操作した状態を示す。この方向への操作では、操作部材３４の下側の係合面３４ａが下側のロックユニット３３におけるスライダ３の係合段部３ｄに当接して、そのスライダ３を上方向へスライドさせるため、同ロックユニット３３のストッパ４がストッパ受板９から離れ、これにより同ロックユニット３３のロックが解除される。これに加えて、操作部材３４の上側の当接面３４ｂが上側のロックユニット３２におけるベース２に下方から当接して同ベース２を押し上げる。この押上げによって、そのストッパ受板９がストッパ４から離れるため、上側のロックユニット３２のロックが解除される。従って、スライドロック装置３１の全体を矢印Ｄ方向に円滑にスライドさせることができる。
【００４５】
これに対し、図１０は操作部材３４を矢印Ｅで示す下方向に操作した状態を示す。この方向への操作では、操作部材３４の上側の係合面３４ａが上側のロックユニット３２におけるスライダ３の係合段部３ｄに当接して、そのスライダ３を下方向へスライドさせるため、同ロックユニット３３のストッパ４がストッパ受板９から離れ、ロックユニット３２のロックが解除される。また、操作部材３４の下側の当接面３４ｂが下側のロックユニット３３におけるベース２に上方から当接して同ベース２を押し下げる。この押下げによって、そのストッパ受板９がストッパ４から離れるため、下側のロックユニット３３のロックが解除される。従って、スライドロック装置３１の全体を矢印Ｅ方向に円滑にスライドさせることができる。
【００４６】
なお、この実施の形態では、２つのロックユニット３２，３３を正逆反転状態で連結したが、ロックユニットとしては、２つのロックユニットが正逆反転されていれば、３つ或いはそれ以上であっても良い。
【００４７】
本発明は、以上の実施の形態に限定されることなく種々変形が可能である。例えば、ストッパ受板９を省略し、ベース２のテーパ面８によってストッパ４を押圧しても良い。また、ストッパ４としては、ピン形状のローラであっても良く、この場合には、ストッパ４が相手部材７と線接触するため、さらに大きな摩擦力を発生することができ、ロック力を大きくすることが可能となる。
【００４８】
さらに、相手部材７が円形断面や楕円形断面或いは多角形断面などの場合には、これらの断面に沿ってストッパ４を複数配置することにより、そのロックを行うことができる。さらに、また相手部材７としては上下方向のみならず、水平方向や斜め方向であっても同様に適用することが可能である。また、さらにばね５として、皿ばね、ウエーブスプリング等のばねを用いることができ、弾性部材として、ガスシリンダ或いはゴム等の弾性材等のばね５以外の材料を用いることができる。
【００４９】
【発明の効果】
請求項１の発明によれば、弾性部材によって付勢されたストッパの摩擦力によってスライドがロックされるため、安定したロックを行うことができる。
【００５０】
請求項２の発明によれば、ストッパがベースのテーパ面及び相手部材に挟まれて摩擦力を発生させることにより、ロックが行われるため、大きな摩擦力が発生し、スライドのロックを確実に行うことができる。また、操作部材を操作することにより、ロック解除されるため、相手部材に対して円滑にスライドさせることができる。
【００５１】
請求項３の発明によれば、ロックユニットが正逆反転状態で連結されているため、スライドのロックを正逆の２方向に対して安定して行うことができる。また、操作部材の操作によって、正逆２方向のロックが解除されるため、円滑にスライドさせることができる。
【００５２】
請求項４の発明によれば、請求項１又は２記載の発明と同様な効果を有するのに加えて、ストッパ受板により強度が付与されるため、ストッパを確実に相手部材に当接させることができる。
【００５３】
請求項５の発明によれば、請求項１又は２記載の発明と同様な効果を有するのに加えて、ガタついたぎこちない作動がなくなり、円滑なスライドを行うことができ、操作性が向上する。
【図面の簡単な説明】
【図１】本発明の実施の形態１の断面図である。
【図２】（ａ）はベースの正面図、（ｂ）はそのｙ−ｙ線断面図である。
【図３】（ａ）はスライダの正面図、（ｂ）はそのｘ−ｘ線断面図である。
【図４】（ａ）及び（ｂ）は実施の形態１の正逆２方向に対する作用を示す断面図である。
【図５】操作部材を操作した場合の実施の形態１の作動を示す断面図である。
【図６】実施の形態２の断面図である。
【図７】実施の形態３の断面図である。
【図８】実施の形態４の断面図である。
【図９】一方向に操作部材を操作した場合の実施の形態４の作用を示す断面図である。
【図１０】逆方向に操作部材を操作した場合の実施の形態４の作用を示す断面図である。
【図１１】従来のスライドロック装置を示す断面図である。
【符号の説明】
１、３１  スライドロック装置
２  ベース
３  スライダ
４  ストッパ
５  ばね
６、３４  操作部材
７  相手部材
８  テーパ面
９  ストッパ受板
３２、３３  ロックユニット
【図１】
0004552042.tif 000002
【図２】
0004552042.tif 000003
【図３】
0004552042.tif 000004
【図４】
0004552042.tif 000005
【図５】
0004552042.tif 000006
【図６】
0004552042.tif 000007
【図７】
0004552042.tif 000008
【図８】
0004552042.tif 000009
【図９】
0004552042.tif 000010
【図１０】
0004552042.tif 000011
【図１１】
0004552042.tif 000012